(57)【要約】【課題】ゴルフスイング中のリーディングエッジの向きを意識及び確認でき、しかもゴルフスイングにおけるオーバースイングなどのその他の重要なポイントをも矯正できる練習用ゴルフクラブを提供する。【解決手段】シャフト２の一方端にヘッド３を設け、他方端にグリップ４を設ける。そして、グリップ４の外方端部に円板形状の矯正板５を設ける。ここで、矯正板５は、ヘッド３のリーディングエッジ３１を含み且つシャフト２の軸方向と平行な面と平行な指標面５１を有するのが好ましい。また、矯正板５の重さは、ヘッド３の重さの５０％〜１００％の範囲であるのが好ましい。【選択図】図１
2015037507.tif 000002
【特許請求の範囲】
【請求項１】
シャフトの一方端にヘッドを設け、他方端にグリップを設けた練習用ゴルフクラブであって、前記グリップの外方端部に矯正板を設けたことを特徴とする練習用ゴルフクラブ。
【請求項２】
前記矯正板が、前記ヘッドのリーディングエッジを含み且つ前記シャフトの軸方向と平行な面と平行な面を有する請求項１記載の練習用ゴルフクラブ。
【請求項３】
前記矯正板が円板形状である請求項１又は２記載の練習用ゴルフクラブ。
【発明の詳細な説明】
【技術分野】
【０００１】
本発明は練習用ゴルフクラブに関し、より詳細には、理想的なゴルフスイングを習得するための練習用ゴルフクラブに関するものである。
【背景技術】
【０００２】
通常のゴルフスイングでは、ゴルフクラブのヘッドのリーディングエッジが目標に向かって垂直になるようにアドレスした後、テイクバック、トップ、ダウンスイング、フォロースルー、フィニッシュに至る一連の動作が行われる。ここで、理想的なゴルフスイングでは、インパクトポイントにおけるヘッドのリーディングエッジ（フェース面）の向きがアドレス時の向きと同じ、すなわちリーディングエッジが目標に向かって垂直になり、ボールは目標に向かってに打ち出される。
【０００３】
ところが、初心者や未熟なプレーヤーでは、アドレスからテイクバックの途中あるいはトップからダウンスイングの途中、あるいはその両方において、ゴルフクラブが捻られて、インパクトポイントにおけるヘッドのリーディングエッジの向きがアドレス時の向きからズレてしまい、ボールの飛ぶ方向が安定しない。
【０００４】
そこで、例えば、特許文献１では、グリップ部とシャフト部とを係合する箇所に、ヘッドのリーディングエッジと同じ方向で、所定の強度と剛性を有する矯正板を取り付け、前記矯正板に一方の手を添えた状態でスイングを行うことによって、リーディングエッジの向きを確認し、手の平でボールをとらえる感触をつかめるようにするゴルフクラブが提案されている。
【先行技術文献】
【特許文献】
【０００５】
【特許文献１】特開平8-24375号公報
【発明の概要】
【発明が解決しようとする課題】
【０００６】
前記提案技術によれば、ゴルフスイング中にリーディングエッジ（フェイス面）の向きを意識及び確認できると考えられるものの、ゴルフスイングにおけるオーバースイングなどのその他の重要なポイントを矯正することはできない。また、一方の手を矯正板に添える必要があるため、両手の間隔が通常よりも広がって不自然な体勢でのゴルフスイングとなるおそれがある。
【０００７】
本発明は、このような従来の問題に鑑みてなされたものであり、その目的は、無理のないゴルフスイングでリーディングエッジ（フェイス面）の向きを意識及び確認でき、しかもゴルフスイングにおけるオーバースイングなどのその他の重要なポイントをも矯正できるゴルフクラブを提供することにある。
【課題を解決するための手段】
【０００８】
前記目的を達成する本発明に係る練習用ゴルフクラブは、シャフトの一方端にヘッドを設け、他方端にグリップを設けた練習用ゴルフクラブであって、前記グリップの外方端部に矯正板を設けたことを特徴とする。
【０００９】
ここで、前記矯正板は、前記ヘッドのリーディングエッジを含み且つ前記シャフトの軸方向と平行な面と平行な面を有するのが好ましい。
【００１０】
また、前記矯正板は円板形状であるのが好ましい。
【００１１】
前記矯正板の重さとしては、前記ヘッドの重さの５０％〜１００％の範囲であるのが好ましい。
【発明の効果】
【００１２】
本発明の練習用ゴルフクラブでは、グリップの外方端部に矯正板を設けたので、無理のないゴルフスイングでリーディングエッジ（フェイス面）の向きを意識及び確認できる。また、矯正板によってオーバースイングの抑制もできる。さらに、矯正板の重さを調整することによってゴルフクラブが振りやすくなる。
【図面の簡単な説明】
【００１３】
【図１】本発明に係る練習用ゴルフクラブの一例を示す斜視図である。
【図２】図１の練習用ゴルフクラブを用いてゴルフスイングをしたときの状態図である。
【発明を実施するための形態】
【００１４】
以下、本発明に係る練習用ゴルフクラブ（以下、単に「ゴルフクラブ」と記すことがある）について図に基づいて説明するが、本発明はこれらの実施形態に何ら限定されるものではない。
【００１５】
図１は、本発明に係るゴルフクラブの一例を示す斜視図である。図１のゴルフクラブ１は、シャフト２と、シャフト２の下端に設けられたヘッド３と、シャフト２の上端に設けられたグリップ４とを備える。そして、グリップ４の上端には円板状の矯正板５が設けられている。
【００１６】
矯正板５は、ヘッド３のリーディングエッジ３１を含み且つシャフト２の軸方向と平行な面と平行な指標面５１を有する。この矯正板５の指標面５１は、リーディングエッジ３１（フェース面３２）の向きを示す一つの指標となる。これにより、アドレスした後、テイクバックの途中やトップからダウンスイングの途中、そしてインパクト時のリーディングエッジ３１（フェース面３２）の向きを確認及び意識できるため、ゴルフスイングが効果的に矯正されるようになる。すなわち、インパクトポイントにおいて、矯正板５の指標面５１が目標に向かって垂直となるようにゴルフクラブ１を誘導していけば、フェース面３２は正しい角度でボールにヒットしフェース面３２のロフトに応じた正確な飛球が得られるようになる。
【００１７】
また、図１のゴルフクラブ１では、グリップ４の上端とゴルファーの身体との間に矯正板５が位置するため、オーバースイングが効果的に抑制される。さらに、矯正板５の重さによってゴルフクラブ１の重心がグリップ４方向に移動するため、ゴルフクラブ１を振りやすくなる。
【００１８】
矯正板５の形状に特に限定はなく、円板形状の他、四角形状などの多角形状であってもよい。ただし、前述のように、ヘッド３のリーディングエッジ３１を含み且つシャフト２の軸方向と平行な面と平行な指標面５１を有するのが好ましい。矯正板５の大きさとしては、円板形状の場合、最大直径は５ｃｍ〜１０ｃｍの範囲が好ましく、厚みは０．５ｃｍ〜３ｃｍの範囲が好ましい。
【００１９】
矯正板５の重さに特に限定はないが、ゴルフクラブ１のスイングを軽く行えるようにする観点からは、ヘッド３の重さの５０％〜１００％の重さであるのが好ましい。また、矯正板５の材質に特に限定はなく従来公知の材料を用いることができるが、前述の好適な大きさ及び好適な重さを得るためには、ステンレス鋼やチタン、鉄などの金属材料が好適に使用される。
【００２０】
矯正板５のグリップ４への取り付けは、接着や溶着、ネジ止めなど従来公知の取り付け手段を用いることができる。また、矯正板５はグリップ４に対して着脱可能としてももちろん構わない。さらには、矯正板５は、グリップ４に対して、シャフト２の軸を中心として回動可能であっても構わない。
【００２１】
図２に、本発明のゴルフクラブ１の使用例を示す。図２（ａ）に示すように、リーディングエッジ３１が目標に向かって垂直になるようにアドレスする。そして、図２（ｂ）及び図２（ｃ）に示すように、アドレスからバックスイングに移行すると、ヘッド３のリーディングエッジ３１の向きは徐々に変化する。このリーディングエッジ３１の向きの変化は、矯正板５の指標面５１の向きの変化として表れ、使用者はリーディングエッジ３１の向きを従来よりも意識及び確認しやすくなる。
【００２２】
図２（ｄ）のトップ位置から図２（ｅ）のダウンスイングに移行した後は、インパクトポイントにおいて矯正板５の指標面５１の向きがアドレス時の向きとなるように、すなわちヘッド３のリーディングエッジ３１の向きがアドレス時の向きとなるようにゴルフクラブ１を誘導する。前述のように、矯正板５の指標面５１の向きの変化は、リーディングエッジ３１の向きの変化よりも確認しやすいので、スイングの矯正が行いやすい。そして、リーディングエッジ３１が目標に向かって垂直な状態で、フェース面３２がボールにヒットすると、図２（ｆ）に示すように、ボールは、フェース面３２のロフトに応じた角度で目標に向かって打ち出される。
【産業上の利用可能性】
【００２３】
本発明の練習用ゴルフクラブでは、グリップ４の外方端部に矯正板５を設けたので、ゴルフスイング中のリーディングエッジ３１（フェイス面３２）の向きを意識及び確認でき、スイングの矯正が行いやすく有用である。
【符号の説明】
【００２４】
１    ゴルフクラブ
２    シャフト
３    ヘッド
４    グリップ
５    矯正板
３１    リーディングエッジ
３２    フェイス面
５１    指標面
【図１】
2015037507.tif 000003
【図２】
2015037507.tif 000004